(57)【要約】【課題】消費電力削減のため待ち受け時には全体を稼動させることなく、所定の条件に適合したメールが来たことをトリガに電子メールを取得するようにした情報処理装置を提供する。【解決手段】ＡＰＵ１３０は、通信デバイス１３１から１３４が使用可能であると判別した場合は、タイマ１４０によるタイミングでメールサーバと通信を行い、新規メールがある場合は、新規メールのメールアドレス等の所定の情報を取得し、取得した新規メールに含まれる情報がメモリ１４１に記憶されるトリガー条件に適合する場合は、コンピュータ１０全体を起動して新規メールを受信する。【選択図】      図３
2007241747.tif 000002
【特許請求の範囲】
【請求項１】
メールサーバと通信し、メールを取得する通信手段と、
前記メールサーバに新規メールがあるか否かを調べる検索手段と、
前記通信手段及び前記検索手段を制御して新規メールを取得する主制御手段と、
前記主制御手段への電源を供給する主電源供給手段と、
前記主制御手段が休止中、前記検索手段により新規メールがあるか否かを所定のタイミングで調べ、新規メールがあった場合、前記通信手段を介して新規メールを取得し、該新規メールに含まれる情報のいずれかがあらかじめ定めた条件に合致するときには前記主電源供給手段から電力を供給させるとともに、前記主制御手段を稼動状態にする副制御手段と
を備えたことを特徴とする情報処理装置。
【請求項２】
前記副制御手段はさらに表示手段を具備し、
取得した新規メールに含まれる情報が前記条件に合致した場合には、前記表示手段にあらかじめ定めた情報を表示することを特徴とする請求項１に記載の情報処理装置。
【請求項３】
前記条件を構成する情報には、メールの差出人名、メールアドレス、メール数、件名および本文の該当するキーワード、バッテリを備える場合には該バッテリの残量情報のうち、いずれか１つ以上が含まれることを特徴とする請求項１に記載の情報処理装置。
【請求項４】
前記新規メールに含まれる情報とは、当該新規メールの差出人名、メールアドレス、件名および本文の該当するキーワードのうち、いずれか１つ以上であることを特徴とする請求項１に記載の情報処理装置。
【請求項５】
前記主制御手段によって前記新規メールを取得した後、前記主制御手段を休止状態とするとともに、前記主電源供給手段の電源供給をオフの状態にすることを特徴とする請求項１に記載の情報処理装置。
【請求項６】
前記表示手段に表示した後、前記主電源供給手段に対し電源供給の指示があった場合には、前記主制御手段は稼動状態になった後、前記通信手段を介して新規メールを取得することを特徴とする請求項２に記載の情報処理装置。
【請求項７】
メールサーバと通信しメールを取得する主制御部を休止状態にするとともに、該主制御部への電源供給を停止し、
前記主制御部が休止している間、副制御部により前記メールサーバに新規メールがあるか否かを所定のタイミングで調べ、
新規メールがあった場合、新規メールを取得するとともに該新規メールに含まれる情報のいずれかがあらかじめ定めた条件に合致するか否かを判定し、
合致するときには、前記主制御部への電源供給を開始するとともに該主制御部を稼動状態とすることを特徴とするメール受信方法。
【請求項８】
前記主制御部が新規メールを取得した後、該主制御部を休止状態にするとともに、該主制御部への電源供給を停止することを特徴とする請求項７に記載のメール受信方法。
【発明の詳細な説明】
【技術分野】
【０００１】
本発明は、例えばパーソナルコンピュータのような情報処理装置に関し、特に電子メールを受信する情報処理装置および同装置で用いられる制御方法に関する。
【背景技術】
【０００２】
近年、ラップトップタイプまたはノートブックタイプの種々の携帯型パーソナルコンピュータが開発されている。この種のコンピュータは、外部との通信を実行する通信デバイスを備えている。また、コンピュータの主要部の電源が切れている場合でも主要部とは別に設けられた補助プロセッサには主要部の電源供給状態に依存せずに電源が供給される。この補助プロセッサによって電子メールの送受信を行い、メインディスプレイの裏側等に備える副ディスプレイに結果を表示する。このようにすることで、待ち受け時には主プロセッサを含むコンピュータ全体が稼動状態である必要がなく、バッテリに蓄えた電力を節約することができる。
【特許文献１】特開２００５−２２８３２７号公報
【発明の開示】
【発明が解決しようとする課題】
【０００３】
しかし、電子メールを受信して受信状況を副ディスプレイに表示した後、ユーザがこの内容を確認してコンピュータを起動するか否かを判断する必要がある。
【０００４】
本発明は上述の事情を考慮してなされたもので、補助プロセッサによって電子メールが受信されると、所定の条件に従ってコンピュータの主要部を稼動状態とし、自動的に電子メールを受信することが可能な情報処理装置および制御方法を提供することを目的とする。
【課題を解決するための手段】
【０００５】
上記目的を達成するために、本願発明の一態様によれば、メールサーバと通信し、メールを取得する通信手段と、前記メールサーバに新規メールがあるか否かを調べる検索手段と、前記通信手段及び前記検索手段を制御して新規メールを取得する主制御手段と、前記主制御手段への電源を供給する主電源供給手段と、前記主制御手段が休止中、前記検索手段により新規メールがあるか否かを所定のタイミングで調べ、新規メールがあった場合、前記通信手段を介して新規メールを取得し、該新規メールに含まれる情報のいずれかがあらかじめ定めた条件に合致するときには前記主電源供給手段から電力を供給させるとともに、前記主制御手段を稼動状態にする副制御手段とを備えたことを特徴とする情報処理装置が提供される。
【発明の効果】
【０００６】
本発明によれば、補助プロセッサを設けることで待ち受け時のバッテリの電力消費を抑えながら、電子メールが受信されると所定の条件に従ってコンピュータの主要部を稼動状態とし、自動的に電子メールを受信することが可能となる。
【発明を実施するための最良の形態】
【０００７】
以下、図面を参照して本発明の実施形態を説明する。
【０００８】
まず、図１および図２を参照して、本発明の一実施形態に係る情報処理装置の構成について説明する。この情報処理装置は、バッテリ駆動可能な携帯型のノートブック型パーソナルコンピュータ１０として実現されている。コンピュータ１０は主要部の電源が切れている状態でも、後述する補助プロセッサ（ＡＰＵ: Auxiliary Processing Unit）により所定のタイミングで電子メールのチェックを行うことができ、所定の条件に一致した電子メールを受信した場合だけ、コンピュータ１０の主要部を含む全体を稼動状態とするものである。
【０００９】
図１は、ディスプレイユニットを開いた状態におけるコンピュータ１０の斜視図である。
【００１０】
コンピュータ１０は、コンピュータ本体１１と、ディスプレイユニット１２とから構成される。ディスプレイユニット１２には、ＬＣＤ２０（Liquid Crystal Display）から構成される表示装置が組み込まれており、そのＬＣＤ２０の表示画面はディスプレイユニット１２のほぼ中央に位置されている。
【００１１】
ディスプレイユニット１２は、コンピュータ本体１１に支持され、そのコンピュータ本体１１に対してコンピュータ本体１１の上面が露出される開放位置とコンピュータ本体１１の上面を覆う閉塞位置との間を回動自由に取り付けられている。コンピュータ本体１１は薄い箱形の筐体を有しており、その上面には、キーボード１３、コンピュータ１０を電源オン／オフするためのパワーボタン１４、メールソフトを立ち上げるためのメールボタンおよびタッチパッド１５、ＬＥＤ（Light Emitting Diode）１７が配置されている。コンピュータ本体１１には通信デバイスが内蔵されている。この通信デバイスを用いて、ＡＰＵ単独でもメールサーバとのデータ通信を実行することができる。
【００１２】
コンピュータ本体１１の左側面上には、ワイヤレスコミュニケーションスイッチ１６が設けられている。ワイヤレスコミュニケーションスイッチ１６は、無線通信の実行を許可または禁止するための操作スイッチである。ワイヤレスコミュニケーションスイッチ１６は、無線通信の実行の許可を示す第１ステートおよび無線通信の実行の禁止を示す第２ステートの一方に設定される。
【００１３】
上述の通信デバイスとしては、例えば無線通信デバイスを用いることができる。この場合、もしワイヤレスコミュニケーションスイッチ１６が第２ステートに設定されているならば、たとえＡＰＵによる電子メールの受信処理を実行すべきタイミングが到来しても電子メールの送受信は実行されずに、キャンセルされる。これにより、例えば病院のような、電波の使用が制限された場所で、電子メールの受信のための無線通信が実行されてしまうことを未然に防止することができる。
【００１４】
図２は、ディスプレイユニット１２を閉じた状態におけるコンピュータ１０の外観を示す斜視図である。ディスプレイユニット１２の背面には、サブディスプレイ２１が配置されている。サブディスプレイ２１は、ＡＰＵによる電子メールの送受信の内容や各種ステータスの表示に使用される。例えば、サブディスプレイ２１は、基地局からの無線信号の電界強度レベルを示す情報、新たな電子メールが受信されたことを示す情報等を表示する。このサブディスプレイ２１により、ユーザは、ディスプレイユニット１２が閉じた状態においても、現在位置が通信圏内であるか否か、および電子メールが受信されたこと等を確認することができる。さらに、サブディスプレイ２１の近傍には、操作ボタン２２が配置される。この操作ボタンによって、スクロールや決定等、簡易的な電子メールの閲覧を行うことができる。
【００１５】
図３には、コンピュータ１０のシステム構成の一例が示されている。
【００１６】
コンピュータ１０は、ＣＰＵ１１１、ノースブリッジ１１２、主メモリ１１３、グラフィクスコントローラ１１４、サウスブリッジ１１５、ハードディスクドライブ（ＨＤＤ）１１６、フラッシュＢＩＯＳ−ＲＯＭ１１８、エンベデッドコントローラ／キーボードコントローラＩＣ（ＥＣ／ＫＢＣ）１１９、電源回路１２０、ＡＰＵ１３０、および通信デバイス１３１〜１３４等を備えている。
【００１７】
ＣＰＵ１１１は、コンピュータ１０の動作を制御するメインプロセッサである。このＣＰＵ１１１は、ＨＤＤ１１６から主メモリ１１３にロードされる、オペレーティングシステムおよび各種アプリケーションプログラム／ユーティリティプログラムを実行する。また、ＣＰＵ１１１は、フラッシュＢＩＯＳ−ＲＯＭ１１８に格納されたシステムＢＩＯＳ（基本入出力システム：Basic Input Output System）も実行する。システムＢＩＯＳはハードウェア制御のためのプログラムである。
【００１８】
ノースブリッジ１１２は、ＣＰＵ１１１のローカルバスとサウスブリッジ１１５との間を接続するブリッジデバイスである。また、ノースブリッジ１１２は、ＰＣＩ  Ｅｘｐｒｅｓｓバスなどを介してグラフィクスコントローラ１１４との通信を実行する機能も有している。さらに、ノースブリッジ１１２には、主メモリ１１３を制御するメモリコントローラも内蔵されている。
【００１９】
グラフィクスコントローラ１１４は、コンピュータ１０のディスプレイモニタとして使用されるＬＣＤ２０を制御する表示コントローラである。サウスブリッジ１１５は、ＰＣＩ（Peripheral Component Interconnect）バスおよびＬＰＣ（Low Pin Count）バスにそれぞれ接続されている。また、サウスブリッジ１１５には、ＨＤＤ１１６を制御するＩＤＥコントローラも内蔵されている。
【００２０】
エンベデッドコントローラ／キーボードコントローラＩＣ（ＥＣ／ＫＢＣ）１１９は、電源管理のためのエンベデッドコントローラと、キーボード（ＫＢ）１３、タッチパッド１５、ＬＥＤ１７、ワイヤレスコミュニケーションスイッチ１６、パワーボタン１４、メールボタン２３などを制御するキーボードコントローラとが集積された１チップマイクロコンピュータである。エンベデッドコントローラ／キーボードコントローラＩＣ１１９は、電源回路１２０と共同して、ユーザによるパワーボタン１４の操作に応じてコンピュータ１０の主要部あるいは全体の電源をオン／オフする。
【００２１】
電源回路１２０は、バッテリ１２１、またはＡＣアダプタ１２２を介して供給される外部電源を用いて、コンピュータ１０の各コンポーネントに供給すべき動作電源を生成する。コンピュータ１０の主要部が電源オフ状態の時も、ＥＣ／ＫＢＣ１１９には電源回路１２０から動作電源が供給される。
【００２２】
ＡＰＵ１３０はＥＣ／ＫＢＣ１１９と共同して電子メールの送受信等を制御するための制御デバイスであり、１チップマイクロコンピュータから構成されている。コンピュータ１０の主要部が電源オフ状態の時も、ＡＰＵ１３０には電源回路１２０から動作電源が供給される。
【００２３】
ＡＰＵ１３０には、メモリ１４１が接続されており、ＯＳ、制御プログラム、ユーザのメールアカウント、メールサーバ情報、及び後述するトリガー情報等を記憶する。また、ＡＰＵ１３０は、通信デバイス１３１〜１３４それぞれの動作を監視する機能を有している。すなわち、ＡＰＵ１３０は、通信デバイス１３１〜１３４にそれぞれシリアルバス（例えばＳＭＢＵＳ、ＵＳＢ等）を介してポイントツーポイント形式で電気的に接続されており、通信デバイス１３１〜１３４の各々と直接通信することができる。ＡＰＵ１３０は、通信デバイス１３１〜１３４の各々との通信を実行することにより、通信デバイス１３１〜１３４の各々が使用可能な状態であるか、つまり通信デバイス１３１〜１３４の各々が有線または無線のネットワークを介して外部装置との通信を実行可能な状態であるか否かを判別する。また、ＡＰＵ１３０は、サブディスプレイ２１を制御する機能も有している。
【００２４】
さらに、ＡＰＵ１３０は、シリアルバス（例えばＳＭＢＵＳ、ＵＳＢ等）を介してサウスブリッジ１１５にも接続されている。これにより、コンピュータ１０が電源オンされている状態においては、ＣＰＵ１１１とＡＰＵ１３０との間の通信を実行することもできる。よって、コンピュータ１０が電源オンされている状態においては、オペレーティングシステムからＡＰＵ１３０の動作を監視することができる。
【００２５】
通信デバイス１３１は無線通信デバイスであり、3G Wireless WAN（WCDMA、HSDPA等）のような無線通信規格に従って基地局との無線通信を実行する。3G Wireless WANは、携帯電話網のような広域無線ネットワークである。通信デバイス１３２も無線通信デバイスであり、Wireless LAN（IEEE802.11a/g等）のような無線通信規格に従って基地局(アクセスポイント)との無線通信を実行する。
【００２６】
通信デバイス１３３，１３４はそれぞれ有線通信デバイスである。通信デバイス１３３はWired LANを介して外部装置との通信を実行する。通信デバイス１３４は、例えばモデムから構成されており、電話網を介して外部装置との通信を実行する。
【００２７】
コンピュータ１０が電源オフ状態の時も、通信デバイス１３１〜１３４には電源回路１２０から動作電源が供給される。コンピュータ１０が電源オフ状態の時、通信デバイス１３１〜１３４の各々は低消費電力モードで動作する。
【００２８】
図３のシステムにおいては、ＡＰＵ１３０は、電子メールの受信のためにメールサーバのような外部装置とのデータ通信を実行すべきタイミング（時点）毎に、通信デバイスが使用可能な状態であるか否かを判別する判別部としても機能する。ＥＣ／ＫＢＣ１１９は、通信デバイスが使用可能な状態であることが判別された場合は、メールサーバにアクセスし、電子メールの予め設定された情報の受信を行う。設定された情報としては、メールの差出人名、メールアドレス、メール数、件名および本文の該当するキーワード等が挙げられる。そして、受信したこれらの情報と、予めメモリ１４１に設定されたトリガー条件の情報とが一致した場合に、コンピュータ１０を起動させる。
【００２９】
図４は、コンピュータ１０のシステムステートの遷移を示している。コンピュータ１０は、Ｓ０，Ｓ３，Ｓ４，Ｓ５の４つのシステムステートをサポートしている。Ｓ０は、コンピュータ１０が電源オンされている動作ステートである。Ｓ３（サスペンド），Ｓ４（ハイバネーション），Ｓ５（オフ）はそれぞれコンピュータ１０が電源オフされている省電力ステートである。
【００３０】
Ｓ３，Ｓ４，Ｓ５のいずれにおいても、ＥＣ／ＫＢＣ１１９、ＡＰＵ１３０、および通信デバイス１３１〜１３４には動作電源がそれぞれ供給される。
【００３１】
ＡＰＵ１３０の機能は、コンピュータ１０がＳ３，Ｓ４，Ｓ５のいずれに設定されている場合でも利用することができる。すなわち、ＡＰＵ１３０によって電子メールの受信が行われ、トリガー情報に一致した場合にコンピュータ１０のシステムステートは、Ｓ３，Ｓ４，またはＳ５からＳ０に遷移する。そして、Ｓ０において電子メールの受信処理が実行された後、コンピュータ１０のシステムステートはＳ３，Ｓ４，またはＳ５に遷移する。受信処理を実行すべき各タイミングは、予めスケジューリングされている。
【００３２】
次に、図５のフローチャートを参照して、ＡＰＵ１３０の基本処理について説明する。
【００３３】
ＡＰＵ１３０は、ＥＣ／ＫＢＣ１１９内のタイマ１４０によって、データ通信を実行すべきタイミングが管理される。
【００３４】
コンピュータ１０の主要部が電源オフ状態（Ｓ３，Ｓ４，またはＳ５）である期間中（ステップＳ１２１）、ＥＣ／ＫＢＣ１１９は、タイマ１４０の値に従って、データ通信を実行すべきタイミングの到来の有無を判別する。データ通信を実行すべきタイミングが到来すると、通信準備を開始する（タイマイベントの発生）（ステップＳ１２２）。
【００３５】
ＡＰＵ１３０は、通信デバイス１３１〜１３４のうち、使用する通信デバイスに問い合わせを行い（ステップＳ１２３）、使用する通信デバイスが通信可能であれば（ステップＳ１２４のＹＥＳ）、メールサーバと通信を行い、メールサーバに新規メールが届いているかを確認する（ステップＳ１２６）。ＡＰＵ１３０によって、メールサーバに新規メールが届いていると判別されると（ステップＳ１２６のＹＥＳ）、新規メールのうちの必要な情報を受信し、あらかじめ設定しておいたトリガー条件と一致しているかどうかを判別する（ステップＳ１２７）。
【００３６】
ここで新規メールのうちの必要な情報とは、新規メールの差出人名、新規メールのメールアドレス、新規メールのメール数、新規メールの件名および本文の該当するキーワード等が挙げられる。また、トリガー条件とは、新規メールの差出人名、新規メールのメールアドレス、新規メールのメール数、新規メールの件名および本文の該当するキーワード、コンピュータ１０が備えるバッテリのバッテリ残量などの情報が挙げられる。また、新規メールのうちの必要な情報とトリガー条件とが一致しているかどうかの判別は、例えば、トリガー情報に差出人のメールアドレスを登録しておき、ＡＰＵ１３０によって、新規メールのアドレス情報のみを受信して一致するかを判別する。さらに上述のトリガー条件に加えて、例えばコンピュータ１０のバッテリ残量が１０パーセント以上残っているか否かを判別し、コンピュータ１０のバッテリ残量が１０パーセント以上残っていれば、トリガー条件と一致すると判別する。
【００３７】
また、新規のメールを受信した際はメールサーバから削除せず、好適には新規メールのまま残留した状態で読み出す。すると以降のステップでメールを読み出す際に通常の新規メールと同様にして処理することができる。
【００３８】
一方、ステップＳ１２４で、使用する通信デバイスが通信可能でないと判別された場合には（ステップＳ１２４のＮＯ）、リトライタイム（例えば、１分後等）をタイマ１４０にセットする（ステップＳ１２５）。
【００３９】
ステップＳ１２７で、ＡＰＵ１３０によって、トリガー条件と一致すると判別されると（ステップＳ１２７のＹＥＳ）、サブディスプレイ２１に一致したメールのメールアドレスを表示、またはバッテリ残量を表示、さらにＬＥＤ１７を点灯させる等の処理が行われる（ステップＳ１２８）。そして、ＡＰＵ１３０によって、コンピュータ１０のパワーオンの指示がＥＣ／ＫＢＣ１１９に伝えられると、ＥＣ／ＫＢＣ１１９は、主要部を含むコンピュータ１０の全機能が稼動状態となるように電源をオンする（ステップＳ１２９）。ステップＳ１２９以降、Ｓ０のステートに移行し、ＡＰＵ１３０はＣＰＵ１１１の制御下に置かれる。
【００４０】
なお、ステップＳ１２８の状態で処理をストップし、ユーザによるマニュアル操作によって、コンピュータ１０の主要部を含む電源をオンすることもできる。
【００４１】
そして、主要部を含むコンピュータ１０の電源オンに応答して、オペレーティングシステム（ＯＳ）がブートアップされ（ステップＳ１３０）、そしてユーティリティプログラムの制御の下に通信プログラムが起動される。通信プログラムは、オペレーティングシステム（ＯＳ）上で動作するアプリケーションプログラムである。
【００４２】
通信プログラムは、通信デバイス１３１〜１３４のいずれかを用いて、電子メールを受信するためのデータ通信またはスケジュールデータの同期処理のためのデータ通信を実行する（ステップＳ１３１）。このデータ通信の実行完了後、ユーティリティプログラムによってオペレーティングシステム（ＯＳ）が自動的にシャットダウンされる（ステップＳ１３２）。そして、ＥＣ／ＫＢＣ１１９は、コンピュータ１０の主要部の電源をオフあるいはサスペンドする（ステップＳ１３３）。
【００４３】
上述のステップＳ１２９〜Ｓ１３３の処理は、コンピュータ１０の主要部の電源がオンされている期間中、定期的に実行される。
【００４４】
次に、図６を参照して、オペレーティングシステム（ＯＳ）と、ユーティリティプログラムと、通信プログラムとの関係を説明する。
【００４５】
ユーティリティプログラム３０２は、ＯＳ３０１がブートアップされた時にＯＳ３０１によって最初に実行される常駐型のプログラムである。ユーティリティプログラム３０２は、通信プログラム３０３を起動し、外部装置とのデータ通信を実行させる。通信プログラム３０３によるデータ通信処理の実行が完了すると、ユーティリティプログラム３０２はシャットダウン要求をＯＳ３０１に発行する。
【００４６】
このように、ユーティリティプログラム３０２は、コンピュータ１０の主要部の電源がオンされた場合、通信プログラム３０３に外部装置とのデータ通信を実行させる。またデータ通信の実行後にコンピュータ１０の主要部の電源をオフする通信制御部として機能する。なお、ユーティリティプログラム３０２はＣＰＵ１１１によって実行されるので、ＣＰＵ１１１自体が通信制御する。このときＡＰＵ１３０はＣＰＵ１１１の管理下に置かれる。また、データ通信の実行後にコンピュータ１０の主要部の電源をオフした後は、ＣＰＵ１１１によってＡＰＵ１３０の制御を解放する。コンピュータ１０の主要部の電源オフ後は、ＡＰＵ１３０は、定期的にメールのチェックを行う最初の状態に戻る（図５のステップＳ１２１）。
【００４７】
以上のように、本実施形態のコンピュータ１０においては、外部装置とのデータ通信を実行すべきタイミング毎に通信デバイスが使用可能な状態であるか否かが判別される。この判別結果に基づいてコンピュータ１０の主要部の電源を制御することにより、通信不能であるにも関わらず稼動状態となって消費される電力を節約することができる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】本発明の一実施形態に係る情報処理装置の外観を示す斜視図。
【図２】ディスプレイユニットを閉じた状態における図１の情報処理装置の外観を示す斜視図。
【図３】図１の情報処理装置のシステム構成を示すブロック図。
【図４】図１の情報処理装置のシステムステートが遷移される様子を示す図。
【図５】図１の情報処理装置のＡＰＵによって実行されるの基本処理を説明するフローチャート。
【図６】図１の情報処理装置で用いられる、ＯＳ、ユーティリティ、通信プログラム、ＣＰＵ、ＡＰＵ間の関係を示す図。
【符号の説明】
【００５０】
１０…コンピュータ、１１…コンピュータ本体、１２…ディスプレイユニット、１３…キーボード、１４…パワーボタン、１５．ＬＥＤ１７…タッチパッド、１６…ワイヤレスコミュニケーションスイッチ、１７…ＬＥＤ、２０…ＬＣＤ、２１…サブディスプレイ、２２…操作ボタン、２３…メールボタン、１１１…ＣＰＵ、１１２…ノースブリッジ、１１３…主メモリ、１１４…グラフィクスコントローラ、１１５…サウスブリッジ、１１６…ハードディスクドライブ、１１６…サウスブリッジ、１１９…ＥＣ／ＫＢＣ、１２０…電源回路、１２１…バッテリ、１２２…ＡＣアダプタ、１３０…ＡＰＵ、１３１〜１３４…通信デバイス、１４０…タイマ、１４１…メモリ、３０１…ＯＳ、３０２…ユーティリティプログラム、３０３…通信プログラム。
【図１】
2007241747.tif 000003
【図２】
2007241747.tif 000004
【図３】
2007241747.tif 000005
【図４】
2007241747.tif 000006
【図５】
2007241747.tif 000007
【図６】
2007241747.tif 000008